(57)【特許請求の範囲】
【請求項１】
第１の方向に延在する第１の罫線と、
この第１の方向に対して直交する第２の方向に延在する第２の罫線と、
前記第１の罫線の長手方向一端側からその側方に突出する第１の補助罫線と、
この第１の補助罫線の先端部に形成される第１の指標部と、
前記第２の罫線の長手方向一端側からその側方に突出する第２の補助罫線と、
この第２の補助罫線の先端部に形成される第２の指標部と
を有する見当合わせマークを具えたことを特徴とする多色印刷用刷版。
【請求項２】
前記第１および第２の罫線の長手方向一端から前記第１および第２の補助罫線までの距離は、印刷インキの色に応じてそれぞれ異なっていることを特徴とする請求項１に記載の多色印刷用刷版。
【請求項３】
前記第１および第２の指標部の幅寸法は、前記第１および第２の罫線の幅寸法よりも大きいことを特徴とする請求項１または請求項２に記載の多色印刷用刷版。
【請求項４】
前記第１および第２の補助罫線の長さは、前記第１および第２の指標部の長さ寸法よりも長いことを特徴とする請求項１から請求項３の何れかに記載の多色印刷用刷版。
【請求項５】
印刷インキの色に応じて相互に隣接する前記第１および第２の補助罫線の間隔は、前記第１および第２の指標部の幅寸法よりもそれぞれ長いことを特徴とする請求項１から請求項４の何れかに記載の多色印刷用刷版。
【請求項６】
前記第１および第２の罫線がこれらの長手方向中央部で交差することを特徴とする請求項１から請求項５の何れかに記載の多色印刷用刷版。
【発明の詳細な説明】
【０００１】
【発明の属する技術分野】
本発明は、多色印刷で用いられる見当合わせマークを具えた多色印刷用刷版に関する。
【０００２】
【従来の技術】
多色印刷機においては複数の刷版が使用されるが、各刷版の相対的な位置を合わせて印刷物に色ずれの有無を確認するため、見当合わせマークが用いられる。この見当合わせマークは、各刷版毎に印刷物の印刷領域外の同一の複数箇所にそれぞれ印刷される。そして、すべての色インキによって形成される見当合わせマークが正確に重なり合うように、刷版の位相や傾きなどが微調整されるようになっている。
【０００３】
このような見当合わせマークとして代表的なものにトンボがあり、これは２本の罫線を直交させた十字形状を有する。
【０００４】
【発明が解決しようとする課題】
近年、印刷品質の向上を企図して罫線の幅寸法が３／１００〜１０／１００mm程度のトンボを使用するようになって来ている。このような細い線幅のトンボを用いた場合、インキの種類によっては、粘性や印刷用紙に対する浸透性などの物理的性質が相違するため、実際に印刷物の表面に印刷された見当合わせマークの幅寸法が色によって相違する。この結果、印刷された線幅の細い見当合わせマークと線幅の太い見当合わせマークとが重なり合ってしまうと、これら見当合わせマークの位置ずれの程度を正確に認識することが困難となり、正確な見当合わせを行うことができなくなってしまう不具合が判明した。
【０００５】
【発明の目的】
本発明の目的は、線幅が異なった状態で相互に重なりあって印刷物に印刷されても、それらの位置を正確に把握することが可能な見当合わせマークを具えた刷版を提供することにある。
【０００６】
【課題を解決するための手段】
本発明による多色印刷用刷版は、第１の方向に延在する第１の罫線と、この第１の方向に対して直交する第２の方向に延在する第２の罫線と、前記第１の罫線の長手方向一端側からその側方に突出する第１の補助罫線と、この第１の補助罫線の先端部に形成される第１の指標部と、前記第２の罫線の長手方向一端側からその側方に突出する第２の補助罫線と、この第２の補助罫線の先端部に形成される第２の指標部とを有する見当合わせマークを具えたことを特徴とするものである。
【０００７】
本発明によると、各色インキによって印刷される第１の罫線と第２の罫線とか重なり合っても、その側方に突出する第１および第２の補助罫線ならびに指標部の存在により、これらの配列の乱れに基づいて各色インキ毎の見当合わせマークの相対的な位置ずれが把握される。
【０００８】
本発明による多色印刷用刷版において、前記第１および第２の罫線の長手方向一端から前記第１および第２の補助罫線までの距離は、印刷インキの色に応じてそれぞれ異なっていることが好ましい。前記第１および第２の指標部の幅寸法は、前記第１および第２の罫線の幅寸法よりも大きいことが好ましい。
【０００９】
また、前記第１および第２の補助罫線の長さは、前記第１および第２の指標部の長さ寸法よりも長いことが好ましい。
【００１０】
さらに、印刷インキの色に応じて相互に隣接する前記第１および第２の補助罫線の間隔は、前記第１および第２の指標部の幅寸法よりもそれぞれ長いことが好ましい。
【００１１】
なお、前記第１および第２の罫線がこれらの長手方向中央部で交差するものであってよい。
【００１３】
【発明の実施の形態】
本発明による多色印刷用刷版を４色の多色印刷機に対して応用した一実施形態について、その見当合わせマークの部分の拡大形状を表す図１および図２を参照しながら詳細に説明するが、本発明はこのような実施例に限らず、この明細書の特許請求の範囲に記載された本発明の概念に包含されるべき他の技術にも応用することができる。
【００１４】
図１に示した見当合わせマーク１０は本実施例の基本パターンであり、図２は見当合わせマーク１０が各色毎に実際の印刷物に印刷された状態であり、模式的に各見当合わせマーク１０の各色インキ（本実施例では黒ＢＫ，青Ｂ，赤Ｒ，黄Ｙの４色）による見当合わせマーク１０の組み合わせが一致している状態を示している。図２において、各色インキによって形成される見当合わせマーク１０は、第１の方向に延在する第１の罫線１１と、この第１の方向に対して直交する第２の方向に延在する第２の罫線１２と、第１の罫線１１の長手方向一端側から前記第２の方向に突出する第１の補助罫線１３が４色印刷された補助罫線１３と、これら第１の補助罫線１３の先端部に形成される第１の指標部１４が各色毎に印刷された指標部１４と、第２の罫線１２の長手方向一端側から第１の方向に突出する第２の補助罫線１５と、これら第２の補助罫線１５の先端部に形成される第２の指標部１６が４色印刷された指標部１６とを具えており、本実施例では第１および第２の罫線１１，１２がこれらの長手方向中央部で交差したトンボの型式を有する。
【００１５】
色インキによって形成される図１の見当合わせマーク１０の第１および第２の罫線１１，１２の長さは、略同一の長さに設定されているが、図２において見当合わせマーク１０を組み合わせて形成した各色インクの第１および第２の罫線１１，１２の長手方向一端から第１および第２の補助罫線１３，１５までの距離Ｌ１，Ｌ２は、は、各色インキ毎によって隣接する補助罫線の間隔Ｇの分だけ変えられている。本実施例では、第１および第２の罫線１１，１２の長手方向一端から中央部に向けて黒インキＢＫ，青インキＢ，赤インキＲ，黄インキＹ用の順に配列するように設定されている。見当が正確に合致した状態において、相互に隣接する第１および第２の補助罫線１３，１５の隣接する補助罫線の間隔Ｇは一定であり、本実施例では０.５mmとなるように設定されている。つまり、図１の見当合わせマーク１０の４色の組み合わせでなる第１および第２の罫線１１，１２の長手方向一端黒インクＢＫ側から青インキＢ，赤インキＲ，黄インキＹ用の第１および第２の補助罫線１３，１５の各隣接する補助罫線の間隔Ｇまでの距離は、それぞれ４色の見当合わせマーク１０が一致した状態では０.５mm（近似値）になるように設定されている。また、本実施例における第１および第２の罫線１１，１２ならびに補助罫線１３，１５は、それぞれ０.０７mmの線幅を有し、方形をなす第１および第２指標部１４，１６の長さＣ１および幅Ｃ２はそれぞれ０.３mmに設定されている。また、第１および第２の補助罫線１３，１５の長さｍは０.５mmに設定さている。しかしながら、これらの寸法に本発明が限定されるわけではなく、視認性などの問題から、第１および第２の指標部１４，１６の長さＣ１および幅Ｃ２は、第１および第２の補助罫線１３，１５の幅寸法よりも大きく、また、第１および第２の補助罫線１３，１５の長さｍが第１および第２の指標部１４，１６の長さＣ１および幅Ｃ２よりも長いことが望ましい。
【００１６】
なお、上記寸法は、何れも刷版上における寸法である。
【００１７】
従って、印刷された線幅の細い見当合わせマーク１０と線幅の太い見当合わせマーク１０とが重なり合ってしまっても、その側方に突出する第１および第２の補助罫線１３，１５ならびに指標部１４，１６の存在により、これらの配列の乱れに基づいて各色インキ毎の見当合わせマーク１０の相対的な位置ずれを予測して、第１および第２の指標部１４，１６が所定間隔で配列するように、各刷版の位置を微調整することで正確な見当合わせを行うことができる。
【００１８】
なお、本発明による刷版は、上述したような見当合わせマーク１０を具えているが、当然のことながら、第１および第２の補助罫線１３，１５と、第１および第２の指標部１４，１６とを１つずつ有するものであり、あらかじめ第１および第２の罫線１１，１２の長手方向一端から第１および第２の補助罫線１３，１５までの距離Ｌ１，Ｌ２を使用する数の見当合わせマーク１０は、インキの色に応じて変えておく必要があることは言うまでもない。また、本実施例では隣接する補助罫線の間隔Ｇを０.５mmとし、各色インクに対応する見当合わせマーク１０の第１および第２の罫線１１，１２の長さを設定するようにしたが、印刷ずれの判別ができる限りにおいて、特に限定するものではない。
【００１９】
【発明の効果】
本発明の多色印刷用刷版によると、見当合わせマークとして第１および第２の罫線の長手方向一端側からそれぞれ第１および第２の補助罫線を突出させ、これら第１および第２の補助罫線の先端部に第１および第２の指標部を形成したので、このような刷版を使用することで従来のものよりも高精度な見当合わせを行うことができる。
【００２０】
第１および第２の罫線の長手方向一端から第１および第２の補助罫線までの距離を印刷インキの色に応じてそれぞれ異ならせた場合、各色インキによって印刷される第１の罫線と第２の罫線とか重なり合っても、その側方に突出する第１および第２の補助罫線ならびに指標部の存在により、これらの配列の乱れに基づいて各色インキ毎の見当合わせマークの相対的な位置ずれを把握することができ、印刷物に印刷された第１および第２罫線の幅寸法がインキの色に応じて異なっている場合であっても、見当合わせを従来のものよりも正確かつ容易に行うことができる。
第１および第２の指標部の幅寸法を第１および第２の罫線の幅寸法よりも大きくした場合には、各色毎の見当合わせマークの視認性がさらに改善され、見当合わせをより容易に行うことができる。
【００２１】
第１および第２の補助罫線の長さを第１および第２の指標部の長さ寸法よりも長くした場合には、各色毎の見当合わせマークの視認性がさらに改善され、見当合わせをより容易に行うことができる。
【００２２】
印刷インキの色に応じて相互に隣接する第１および第２の補助罫線の間隔を第１および第２の指標部の幅寸法よりもそれぞれ長くした場合には、各色毎の視認性がさらに改善され、見当合わせをより容易に行うことができる。
【図面の簡単な説明】
【図１】  本発明による多色印刷用刷版に形成された見当合わせマークの拡大図である。
【図２】  本発明による多色印刷用刷版に形成された見当合わせマークの一実施例の拡大図である。
【符号の説明】
１０  見当合わせマーク
１１  第１の罫線
１２  第２の罫線
１３  第１の補助罫線
１４  第１の指標部
１５  第２の補助罫線
１６  第２の指標部
Ｇ  隣接する補助罫線の間隔
Ｃ１  指標部の長さ
Ｃ２  指標部の幅
ｍ  補助罫線の長さ
ＢＫ  黒インキ
Ｂ  青インキ
Ｒ  赤インキ
Ｙ  黄インキ
【図１】
0003766597.tif 000002
【図２】
0003766597.tif 000003